(57)【特許請求の範囲】
【請求項１】
挿入口より吸入された通帳の磁気データを読み取るＭＳユニットと、通帳上の画像を読み取る光学スキャナと、前記光学スキャナが検出した通帳の印字行に印字を行う印字部とが、筐体に対して後方に移動可能なスライド部材上に搭載された通帳プリンタにおいて、
通帳の搬送路上に新規の通帳を送り出す通帳発行部を設け、この通帳発行部も前記スライド部材上に搭載すると共に、
前記通帳発行部には、前記スライド部材に対して後方に引き出し可能な移動通帳収納部をリヤ側に設けた通帳プリンタ。
【請求項２】
前記通帳発行部として、前記印字部よりもフロント側の搬送路上に新規の通帳を送り出す第１の通帳発行部と、前記印字部よりもリヤ側の搬送路上に新規の通帳を送り出す第２の通帳発行部とを設け、これら第１及び第２の通帳発行部を前記スライド部材上に搭載すると共に、
前記第１の通帳発行部には、前記スライド部材に対して移動しない固定通帳収納部だけを設け、前記第２の通帳発行部には、前記移動通帳収納部をリヤ側に設けたことを特徴とする請求項１記載の通帳プリンタ。
【請求項３】
前記第１及び第２の通帳発行部の各フロント側とリヤ側に、上蓋が上下に開閉可能な通帳収納部を設けると共に、前記第２の通帳発行部におけるリヤ側の通帳収納部のみを移動通帳収納部としたことを特徴とする請求項２記載の通帳プリンタ。
【発明の詳細な説明】
【０００１】
【発明の属する技術分野】
本発明は、金融機関等に設置されるＡＴＭ（自動預金支払機）等における通帳プリンタに関する。更に詳細には、挿入口より吸入された通帳の磁気データ（磁気ストライプ：ＭＳ）を読み取るＭＳユニットと、通帳上の画像を読み取る光学スキャナと、光学スキャナが検出した通帳の印字行に印字を行う印字部と、通帳のページを捲るターンページ部とが、筐体に対して後方に移動可能なスライド部材上に搭載された通帳プリンタに関する。
【０００２】
【従来の技術】
ＡＴＭでは、フロント側の挿入口に差し込まれた通帳を装置内に吸入し、通帳の磁気データをＭＳユニットで読み取ると共に、通帳上の画像を光学スキャナで読み取り、通帳の所定の印字行に印字を行い、その後、印字済みの通帳を上記挿入口より装置外に排出する通帳プリンタが用いられている。
【０００３】
図１０はこの種の通帳プリンタを示す側面図である。図１０において、水平方向に配置された搬送路１は、搬送ローラやガイド板等から構成され、そのフロント側の端部には、通帳の挿入口２が設けられている。
【０００４】
又、搬送路１に沿って、挿入口２に差し込まれた通帳上の磁気データを読み取るＭＳユニット３と、通帳上の画像（バーコードや文字）を読み取る光学スキャナ４と、光学スキャナ４が検出した通帳の印字行に印字を行う印字部５と、新規の通帳を発行するまで旧通帳を一時的に退避させたり、取り忘れた通帳を蓄積する取り込み部６が設けられている。
【０００５】
通帳発行部１１〜１４は搬送路１上に新規の通帳を送り出すもので、この通帳発行部１１〜１４と搬送路１とを結ぶ搬送路１５上には、通帳のページを捲るターンページ部１６が設けられている。
【０００６】
上記搬送路１，ＭＳユニット３，光学スキャナ４，印字部５，取り込み部６及びターンページ部１６は、筐体７に対して後方に移動可能なスライド部材１０上に搭載されている。このスライド部材１０の上側には、筐体７に対して後方に移動可能なもう一つのスライド部材２０が設けられており、ここに、搬送路１５上に新規の通帳を送り出す上記通帳発行部１１〜１４が搭載されている。
【０００７】
上記装置において、挿入口２に通帳を差し込むと、通帳は搬送路１上を搬送され、ＭＳユニット３にて磁気ストライプの読み取りがなされる。その後、光学スキャナ４に搬送され、印字行を見つけるための読み取り走査が行われ、印字部５にて、所定の印字行に文字等の記録が行われる。この印字終了後、通帳は挿入口２に戻され、排出される。尚、印字行が無くなった場合は、ターンページ部１６へ送られて改頁がなされる。
【０００８】
通帳の最終頁での印字行が無くなると、所定のスタイルの新規の通帳が、これを収納した通帳発行部１１〜１４内の通帳収納部から搬送路１５に向けて送り出される。この新規の通帳は、その後、印字部５とＭＳユニット３にて、所定の印字と磁気ストライプの書き込みが行われ、挿入口２に送られて排出される。この間、旧通帳は取り込み部６に一時退避しており、新規の通帳の排出に続いて、排出される。
【０００９】
【発明が解決しようとする課題】
上記構成の通帳プリンタでは、２つのスライド部材２０，１０が上下に配置され、上側のスライド部材２０上に通帳発行部１１〜１４が搭載され、下側のスライド部材１０に印字部５等のユニットが搭載されている。このため、ユニット構成が複雑になるだけでなく、筐体７の上下方向の寸法が大きくなり、装置が大型化する。
【００１０】
又、上記構成の通帳プリンタでは、通帳発行部１１〜１４とターンページ部１６とが異なるスライド部材２０，１０上に搭載されるので、通帳発行部１１〜１４とターンページ部１６との接続部（搬送路１５）での通帳の受け渡しが必要になる。そこで、受け渡しを円滑に行うために、各ユニットを筐体７に組み付け後、接続部の位置調整を行わねばならず、調整作業が面倒である。
【００１１】
更に、上記構成の通帳プリンタでは、スライド部材２０上に全ての通帳発行部１１〜１４が搭載されているため、ＡＴＭ等の稼動時間内に通帳発行部１１〜１４の何れかで通帳補充の必要が生じた場合、全ての通帳発行部１１〜１４を移動させて補充することになり、ＡＴＭ等の稼動を停止しなければならない。
【００１２】
本発明は、上記問題点を解消するためになされたもので、その目的は、小型で且つ調整作業が容易になる通帳プリンタであって、通帳補充を装置の稼動を停止することなく行える通帳プリンタを実現することにある。
【００１３】
【課題を解決するための手段】
上記課題を解決する請求項１の発明は、挿入口より吸入された通帳の磁気データを読み取るＭＳユニットと、通帳上の画像を読み取る光学スキャナと、前記光学スキャナが検出した通帳の印字行に印字を行う印字部とが、筐体に対して後方に移動可能なスライド部材上に搭載された通帳プリンタにおいて、通帳の搬送路上に新規の通帳を送り出す通帳発行部を設け、この通帳発行部も前記スライド部材上に搭載すると共に、前記通帳発行部には、前記スライド部材に対して後方に引き出し可能な移動通帳収納部をリヤ側に設けたことを特徴とするものである。
【００１４】
この発明では、光学スキャナ及び印字部を搭載したスライド部材上に、通帳発行部をも搭載したので、ユニット構成が単純になるだけでなく、筐体の上下方向の寸法が小さくなり、装置が小型化する。
【００１５】
又、本発明では、通帳発行部と印字部等とが一つのスライド部材上に搭載されるので、筐体外でスライド部材上に通帳発行部や印字部等を搭載し、その後、これらユニットを筐体に組み付ければ、各ユニットを筐体に組み付けた後の調整は不要になり、調整作業が容易になる。
【００１６】
更に、上記構成の通帳プリンタでは、通帳発行部に、固定通帳収納部と移動通帳収納部を設けたので、通帳補充の必要が生じた場合でも、固定通帳収納部をそのままにしてＡＴＭ等の稼動を続行し、この続行中に、移動通帳収納部のみを後方に引き出し、通帳補充を行うことができる。
【００１７】
請求項２記載の発明は、通帳発行部を効率よく筐体内に収納できるように、上記通帳発行部として、印字部よりもフロント側の搬送路上に新規の通帳を送り出す第１の通帳発行部と、印字部よりもリヤ側の搬送路上に新規の通帳を送り出す第２の通帳発行部とを設け、これら第１及び第２の通帳発行部についても、印字部等が搭載されたスライド部材上に搭載すると共に、第１の通帳発行部には、スライド部材に対して移動しない固定通帳収納部だけを設け、第２の通帳発行部には、移動通帳収納部をリヤ側に設けたものである。
【００１８】
更に、請求項３記載の発明は、第１及び第２の通帳発行部の各フロント側とリヤ側に、上蓋が上下に開閉可能な通帳収納部を設けると共に、第２の通帳発行部におけるリヤ側の通帳収納部のみを移動通帳収納部としたものである。
【００１９】
この発明では、第１及び第２の通帳発行部に効率よく通帳収納部を形成できる。又、第１及び第２の通帳発行部におけるフロント側とリヤ側の通帳収納部が、移動通帳収納部を含め、上蓋を上下に開閉可能であるため、ＡＴＭ等の非稼動時間に筐体に対してスライド部材を搭載ユニットと共に後方に移動した際の、全通帳収納部に対する新規の通帳補充も、容易に行える。
【００２０】
【実施の形態】
本発明の実施の形態例を図面を用いて説明する。図１は本発明の実施の形態例を示す側面図である。図１において、水平方向に配置された搬送路５１は、搬送ローラやガイド板等から構成され、そのフロント側の端部には、通帳の挿入口５２が設けられている。
【００２１】
又、搬送路５１に沿って、挿入口５２に差し込まれた通帳上の磁気ストライプを読み取るＭＳユニット５３と、通帳上の画像（バーコードや文字）を読み取る光学スキャナ５４と、光学スキャナ５４が検出した通帳の印字行に印字を行う例えばワイヤドット方式の印字部５５と、通帳のページを捲るターンページ部５６と、新規の通帳を発行するまで旧通帳を一時的に退避させたり、取り忘れた通帳を蓄積する取り込み部５７が設けられている。
【００２２】
更に、印字部５５よりもフロント側の搬送路５１上に新規の通帳を送り出す第１の通帳発行部５８と、印字部５５よりもリヤ側の搬送路５１上に新規の通帳を送り出す第２の通帳発行部５９も設けられている。
【００２３】
上記搬送路５１，ＭＳユニット５３，光学スキャナ５４，印字部５５，ターンページ部５６，取り込み部５７，第１の通帳発行部５８及び第２の通帳発行部５９は、筐体７１に対して後方に移動可能なスライド部材７２上に搭載され、スライド部材７２と共に後方に移動できるようになっている。
【００２４】
ここで、ＭＳユニット５３，光学スキャナ５４及び印字部５５は、従来から用いられるものと同様なものである。一方、ターンページ部５６は、例えば図２に示すような構成を有している。ここで、図２はターンページ部を示す側面図である。図２において、搬送路５１に沿って一定間隔をおいて配置された捲りローラ８１，８２は、搬送ローラを兼ねたもので、その下方には、それぞれ、通帳８０を挟み込んだり解放したりする従動ローラ８３，８４が配置されている。又、捲りローラ８１，８２間の通帳８０の下方には、正方向の捲り動作時に通帳８０の下面を支え上側に押すアーム８５と、逆方向の捲り動作時に通帳８０の下面を支え上側に押すアーム８６とが配置されている。
【００２５】
ターンページ部５６による通帳８０の捲り動作に入る前段階で、従動ローラ８３，８４が押し付けられた状態の捲りローラ８１，８２を回転させて、図２に示す位置まで通帳８０を移動する。そして、正方向の捲り動作時には、捲りローラ８２をロックさせ、従動ローラ８３を待避させると共にアーム８５を通帳８０に押し付け（図２の状態）、捲りローラ８１を反時計方向に回転させる。この捲りローラ８１の回転により１枚分が図３に示すように膨らみ、その後、図４に示すように跳ね上がった状態になる。
【００２６】
この状態になると、従動ローラ８３を捲りローラ８１側に押し付け、アーム８５を元の位置に下げ、捲りローラ８２のロックを解除し、捲りローラ８１を時計方向に回転させる。これにより、跳ね上がった状態の通帳１枚分が通帳８０の移動につれて時計方向に回転し、ページ捲りが終了する。通帳８０の逆方向の捲り動作も、正方向の捲り動作と全く同様である。
【００２７】
次に、取り込み部５７の構成を図５を用いて説明する。この取り込み部５７は、通帳を水平平面内で１８０°回転させる１８０°ターン機構をも備えており、水平方向に通帳を引き込んで一時的に待避させ、必要に応じて、そこで１８０°ターンさせたり、下方の蓄積容器９１内に通帳を落下させるものである。
【００２８】
取り込み部５７内の切り替えガイド９２は、新規の通帳発行までの間、搬送ローラ９３から送り込まれた旧通帳を一時的に右方位置に退避させておく時や、上方の第２の通帳発行部５９から送られてきた通帳を搬送ローラ９３側に案内する時には、図５に示すように水平方向を向いている。一方、搬送ローラ９３から送り込まれた通帳を下方の蓄積容器９１内に収容する場合は、切り替えガイド９２は、軸９２ａを中心に時計方向に回動した傾斜位置をとり、蓄積容器９１を開口させる。蓄積容器９１の入り口側にある取り込みローラ９１ａは、通帳を一時退避させたり、蓄積容器９１内に送り込んだりするものである。
【００２９】
取り込み部５７内の１８０°ターン機構は、通帳が水平面上で回転できるように、通帳の中心を針状先端部で押さえるピン９４と、ピン９４を中心とする円弧上の位置であって図５の紙面の垂直方向からピン９４を挟む位置に置かれた一対の駆動ローラ９５とから構成されている。そして、１８０°ターン動作時には、水平に置かれた通帳の中心をピン９４の先端で押さえ、ピン９４を挟むように配置された駆動ローラ９５を互いに逆方向に回転させて、通帳をピン９４を中心に回転させることにより行う。尚、通帳の直線搬送時には、ピン９４を挟む一対の駆動ローラ９５は同方向に回転する。
【００３０】
第１の通帳発行部５８と第２の通帳発行部５９は、新規の通帳を収容する通帳収納部の構造を除き、同様の構成を有している。そこで、第２の通帳発行部の構成を図６（必要に応じて図１）を用いて説明する。
【００３１】
図６において、繰り出しローラ１０１，１０２は、それぞれ、フロント側の固定通帳収納部１０３内，リヤ側の移動通帳収納部１０４内まで突出し、立てた状態で図６の横方向に積層された通帳に接している。ここで、固定通帳収納部とは、スライド部材７２（図１参照）に対して相対的に移動しない通帳収納部を意味し、移動通帳収納部とは、スライド部材７２に対して相対的に後方（矢印方向）に引き出し可能な通帳収納部を意味する。
【００３２】
固定通帳収納部１０３，移動通帳収納部１０４は、繰り出し側の下端に通帳排出用開口１０３ａ，１０４ａが穿設されており、繰り出しローラ１０１，１０２の回転により通帳を通帳収納部１０３，１０４の下方に送り出せるようになっている。通帳収納部１０３，１０４内の通帳押さえ１０５，１０６は、通帳を繰り出しローラ１０１，１０２側に押圧するもので、これにより、繰り出しローラ１０１，１０２が十分の繰り出し力を発揮するようになっている。
【００３３】
駆動ローラ１０７は、固定通帳収納部１０３から通帳を繰り出す際には、繰り出しローラ１０１と共に反時計方向に回転し、移動通帳収納部１０４から通帳を繰り出す際には、繰り出しローラ１０２と共に時計方向に回転するものである。駆動ローラ１０７には、通帳を挟持して搬送できるように、従動ローラ１０８，１０９が前後方向から押圧されている。ベルト搬送部１１１，１１２は、駆動ローラ１０７で送り出された通帳を更に下方に送るものである。尚、金具１１３は、第２の通帳発行部５９をスライド部材７２側に取り付けるためのものである。
【００３４】
図７〜図９は第２の通帳発行部の具体例を示す図で、図７は第２の通帳発行部の具体例の外観図、図８は第２の通帳発行部の上蓋等を取り除いた内部構造図、図９は移動通帳収納部を引き出した状態の第２の通帳発行部の側面図である。これらの図において、図６と同一部分には同一符号を付した。
【００３５】
この具体例において、第２の通帳発行部５９におけるフロント側とリヤ側の通帳収納部１０３，１０４は、図７に示すように、上蓋１２１，１２２が２点鎖線で示すように上下に開閉可能になっている。又、図７に示すロック解除レバー１２５の上部を引き下げれば、図９に示すフック１２６が反時計方向に回転し、第２の通帳発行部５９の側部に突設したピン１２８との掛合が解かれ、移動通帳収納部１０４を図９に示すように引き出せるようになっている。
【００３６】
移動通帳収納部１０４の支持は、図９に示すように、第２の通帳発行部５９の側部にアウタレール１３１を水平方向に取り付け、このアウタレール１３１に摺動可能に嵌合したインナレール１３２を移動通帳収納部１０４に取り付けることにより行っている。又、通帳押さえ１０５の付勢は、図８に示すように、通帳押さえ１０５にシャフト１３３を取り付け、このシャフト１３３を図示されていないテンションスプリングを用いて引っ張ることにより行っている。通帳押さえ１０６の付勢も付勢も同様である。
【００３７】
第１の通帳発行部５８と第２の通帳発行部５９との相違点は、図１に示すフロント側及びリヤ側の通帳収納部１５３、１５４が共に固定通帳収納部で構成されている点であり、その他の構成は共通する。即ち、図１に示すように、繰り出しローUラ１５１，１５２は、それぞれ、固定通帳収納部１５３，１５４内まで突出し、通帳に接している。
【００３８】
固定通帳収納部１５３，１５４は、繰り出し側の下端に通帳排出用開口が穿設されており、繰り出しローラ１５１，１５２の回転により通帳を通帳収納部１５３，１５４の下方に送り出せるようになっている。駆動ローラ１５７は、固定通帳収納部１５３から通帳を繰り出す際には、繰り出しローラ１５１と共に反時計方向に回転し、固定通帳収納部１５４から通帳を繰り出す際には、繰り出しローラ１５２と共に時計方向に回転するもので、この駆動ローラ１５７には、通帳を挟持して搬送できるように、従動ローラ１５８，１５９が押圧されている。
【００３９】
ベルト搬送部１６１，１６２は、駆動ローラ１０７で送り出された通帳を更に下方に送るものである。金具１６３は、第１の通帳発行部５８をスライド部材７２側に取り付けるためのものである。フロント側とリヤ側の通帳収納部１５３，１５４にも、上蓋が上下に開閉可能に設けられている。
【００４０】
上記形態例において、挿入口５２に通帳を差し込むと、通帳は搬送路５１上を搬送され、ＭＳユニット５３にて磁気ストライプの読み取りがなされる。その後、光学スキャナ５４に搬送され、印字行を見つけるための読み取り走査が行われ、印字部５５にて通帳の印字行に文字等の記録が行われる。この印字終了後、通帳は挿入口５２に戻され、排出される。尚、印字行が無くなった場合は、ターンページ部５６まで送られて改頁がなされる。
【００４１】
通帳の最終頁での印字行が無くなると、所定のスタイルの新規の通帳が、これを収納した通帳発行部５８，５９内の通帳収納部から送り出される。この新規の通帳は、その後、印字部５５とＭＳユニット５３にて、所定の印字と磁気ストライプの書き込みが行われ、挿入口５２に送られて排出される。この間、旧通帳は取り込み部５７に一時退避しており、新規の通帳の排出に続いて、排出される。
【００４２】
この形態例では、搬送路５１，ＭＳユニット５３，光学スキャナ５４，印字部５５，ターンページ部５６，取り込み部５７等を搭載したスライド部材７２上に、通帳発行部５８，５９も搭載したので、ユニット構成が単純になるだけでなく、筐体７１の上下方向の寸法が小さくなり、装置を小型化できる。
【００４３】
又、本形態例では、通帳発行部５８，５９と印字部５５等とが一つのスライド部材７２上に搭載されるので、筐体７１外でスライド部材７２上に通帳発行部５８，５９や印字部５５等を搭載し、その後、これら組み立てたユニットを筐体７１に組み付ければ、各ユニットを筐体７１に組み付けた後の調整は不要になり、調整作業が容易になる。
【００４４】
更に、本形態例では、第２の通帳発行部５９のリヤ側に、移動通帳収納部１０４を設けたので、通帳補充の必要が生じた場合でも、固定通帳収納部１０３，１５３，１５４をそのままにしてＡＴＭ等の稼動を続行し、この続行中に、移動通帳収納部１０４のみを後方に引き出し、通帳補充を行うことができる。
【００４５】
又、本形態例では、通帳発行部として、印字部５５よりもフロント側の搬送路５１上に新規の通帳を送り出す第１の通帳発行部５８と、印字部５５よりもリヤ側の搬送路１上に新規の通帳を送り出す第２の通帳発行部５９とを設け、これら通帳発行部５８，５９についても、印字部５５等が搭載されたスライド部材７２上に搭載すると共に、第１の通帳発行部５８には、固定通帳収納部だけを設け、第２の通帳発行部５９には、移動通帳収納部１０４をリヤ側に設けたので、通帳発行部を効率よく筐体７１内に収納できる。
【００４６】
この形態例の第１及び第２の通帳発行部５８，５９には、それぞれ、フロント側とリヤ側に上蓋が上下に開閉可能な通帳収納部１０３，１０４，１５３，１５４を設け、第２の通帳発行部５９におけるリヤ側の通帳収納部１０４のみを移動通帳収納部としている。このため、第１及び第２の通帳発行部５８，５９に効率よく通帳収納部１０３，１０４，１５３，１５４を形成できる。又、移動通帳収納部１０４を含めた全通帳収納部１０３，１０４，１５３，１５４の上蓋が上下に開閉可能であるため、ＡＴＭ等の非稼動時間に筐体７１に対してスライド部材７２を搭載ユニットと共に後方に移動した際の、全通帳収納部１０３，１０４，１５３，１５４に対する新規の通帳補充も、容易に行える。
【００４７】
尚、本発明は上記形態例の構成に限られるものではない。例えば、上記形態例では第１及び第２の通帳発行部５８，５９を設け、それぞれに二つの通帳収納部を設けたが、これに限らず、例えば、第１の通帳発行部５８に一つの固定通帳収納部を設け、第２の通帳発行部５９に一つの移動通帳収納部を設けてもよい。又、上記形態例における第１の通帳発行部５８を削除し、第２の通帳発行部５９に固定通帳収納部を増設してもよい。又、本発明は、上記形態例における固定通帳収納部の幾つかを、移動通帳収納部に変更することを否定するものでもない。
【００４８】
更に、ＭＳユニット５３，光学スキャナ５４，印字部５５，ターンページ部５６，取り込み部５７及び通帳発行部５８，５９等のスライド部材７２上への搭載位置についても、その機能を発揮できるのであれば、上記形態例の配置に限る必要はない。又、本発明はＡＴＭ用通帳プリンタに限るものではない。
【００４９】
【発明の効果】
以上説明したように、請求項１記載の発明では、光学スキャナ及び印字部を搭載したスライド部材上に、通帳発行部をも搭載したので、ユニット構成が単純になるだけでなく、筐体の上下方向の寸法が小さくなり、装置を小型化できる。
【００５０】
又、通帳発行部と印字部等とが一つのスライド部材上に搭載されるので、筐体外でスライド部材上に通帳発行部や印字部等を搭載し、その後、これらユニットを筐体に組み付ければ、各ユニットを筐体に組み付けた後の調整は不要になり、調整作業が容易になる。
【００５１】
更に、通帳発行部に、固定通帳収納部と移動通帳収納部を設けたので、通帳補充の必要が生じた場合でも、固定通帳収納部をそのままにしてＡＴＭ等の稼動を続行し、この続行中に、移動通帳収納部のみを後方に引き出し、通帳補充を行うことができる。
【００５２】
請求項２記載の発明では、通帳発行部として、印字部よりもフロント側の搬送路上に新規の通帳を送り出す第１の通帳発行部と、印字部よりもリヤ側の搬送路上に新規の通帳を送り出す第２の通帳発行部とを設け、これら第１及び第２の通帳発行部についても、印字部等が搭載されたスライド部材上に搭載すると共に、第１の通帳発行部には、固定通帳収納部だけを設け、第２の通帳発行部には、移動通帳収納部をリヤ側に設けたので、通帳発行部を効率よく筐体内に収納できる。
【００５３】
請求項３記載の発明では、第１及び第２の通帳発行部の各フロント側とリヤ側に、上蓋が上下に開閉可能な通帳収納部を設けると共に、第２の通帳発行部におけるリヤ側の通帳収納部のみを移動通帳収納部としたので、第１及び第２の通帳発行部に効率よく通帳収納部を形成できる。
【００５４】
又、第１及び第２の通帳発行部におけるフロント側とリヤ側の通帳収納部が、移動通帳収納部を含め、上蓋を上下に開閉可能であるため、ＡＴＭ等の非稼動時間に筐体に対してスライド部材を搭載ユニットと共に後方に移動した際の、全通帳収納部に対する新規の通帳補充も、容易に行える。
【図面の簡単な説明】
【図１】本発明の実施の形態例を示す側面図である。
【図２】ターンページ部を示す側面図である。
【図３】ターンページ部の他の動作状態を示す側面図である。
【図４】ターンページ部の他の動作状態を示す側面図である。
【図５】取り込み部を示す側面図である。
【図６】第２の通帳発行部を示す側面図である。
【図７】第２の通帳発行部の具体例を示す外観図である。
【図８】第２の通帳発行部の具体例における上蓋等を取り除いた内部構造図である。
【図９】移動通帳収納部を引き出した状態の第２の通帳発行部の側面図である。
【図１０】従来の通帳プリンタを示す側面図である。
【符号の説明】
５１  搬送路
５２  挿入口
５３  ＭＳユニット
５４  光学スキャナ
５５  印字部
５６  ターンページ部
５７  取り込み部
５８  第１の通帳発行部
５９  第２の通帳発行部
７１  筐体
７２  スライド部材
１０３，１５３，１５４  固定通帳収納部
１０４  移動通帳収納部
１１３，１６３  金具
１２１，１２２  上蓋
【図１】
0003720621.tif 000002
【図２】
0003720621.tif 000003
【図３】
0003720621.tif 000004
【図４】
0003720621.tif 000005
【図５】
0003720621.tif 000006
【図６】
0003720621.tif 000007
【図７】
0003720621.tif 000008
【図８】
0003720621.tif 000009
【図９】
0003720621.tif 000010
【図１０】
0003720621.tif 000011